(57)【要約】  シート状のセンサを１枚ずつ取り出して、適切な保持力で測定装置に挿入可能であり、確実に測定を行うことができる。複数個のシート状のセンサ１２を積層して収納し、センサ１２を１枚ずつ取り出す取出口４９を有したケース本体１４を有する。ケース本体１４の開口部を覆うケース蓋体３４と、収納されたセンサ１２をケース本体１４内で取出口４９側へ押し上げる押上スライダ６４を備える。ケース本体１４に摺動可能に取り付けられ、収納したセンサ１２を１枚ずつ取り出す取出スライダ５２を備え、取出スライダ５２は、収納されたセンサ１２のうちの、上端部のセンサ１２の端部に係合する押出突起６３を有する。押上スライダ６４を押上方向に付勢する弾性体７６を備える。弾性体７６は、押上スライダ６４の、ケース本体１４の背面部１８ｃ寄りの位置に当接し、センサ１２を押上げる。【選択図】図１
2013118609.tif 000002
【特許請求の範囲】
【請求項１】
複数個のシート状のセンサを積層して収納し、前記センサを１枚ずつ取り出す取出口を有したケース本体と、
前記ケース本体の開口部を覆うケース蓋体と、
収納された前記センサを前記ケース本体内で前記取出口側へ押し上げる押上スライダと、
前記ケース本体に摺動可能に取り付けられ、収納した前記センサを１枚ずつ取り出す取出スライダと、
前記取出スライダに設けられ、収納された前記センサのうちの、上端部のセンサの前記取出口とは反対側の端部に係合する押出突起と、
前記押上スライダを押上方向に付勢する弾性体とを備え、
前記弾性体は、前記押上スライダの、前記ケース本体の背面部寄りの位置に当接して前記センサを押上げ、前記センサが前記押上スライダと前記取出口の開口縁に繋がる受け部とに挟持されることを特徴とするセンサケース。
【請求項２】
前記押上スライダには、前記センサに当接する押上壁が設けられ、前記押上壁には、前記スライダにより前記センサを押し出した状態で、前記センサの後端部よりも前記ケース本体の前記取出口とは反対側の位置で、前記センサ面側に高くなった段部を有する請求項１記載のセンサケース。
【請求項３】
前記押上スライダの前記押上壁に設けられている前記段部は、前記押上壁から直角または鋭角に立ち上がり、前記取出スライダが前記取出口に位置したときに、前記取出スライダの前記押出突起が、前記押上スライダの前記段部よりも前記取出口に近い位置にあり、前記センサは前記取出スライダにより前記取出口から一部が突出して保持される請求項２記載のセンサケース。
【請求項４】
前記取出口の周縁部には、前記ケース本体内側に突出する重なり防止突部が設けられ、前記一番端の前記センサには前記重なり防止突部が当接せずに前記取出口を通過させ、二番目の前記センサには前記重なり防止突部が当接する請求項１記載のセンサケース。
【請求項５】
前記ケース本体内に前記センサを収容し、前記ケース蓋体を装着した状態で、乾燥剤とともに外ケースに収納されて成る請求項１記載のセンサケース。
【請求項６】
前記外ケース内には、前記乾燥剤を位置決めしてがたつき無く保持する保持部を有する請求項５記載のセンサケース
【請求項７】
前記外ケースの蓋体は、収納部に対して気密状態で着脱可能に設けられている請求項６記載のセンサケース。
【発明の詳細な説明】
【技術分野】
【０００１】
この発明は、血糖値を測定する血糖センサ等のシート状のセンサを収納し、血糖値測定装置等にこのセンサを供給するためのセンサケースに関する。
【背景技術】
【０００２】
従来、例えば血糖値を測定するためのセンサである血糖センサは、シート状に形成されているものがある。このような血糖センサは、例えば基板の表面に対極、測定極、それらに連なる各リード、絶縁層が設けられ、対極と測定極を覆う反応層が形成され、さらに基板の表面に、スペーサとカバーを順次固定したものである。血糖センサは、例えば、開閉自在な密閉容器に収納されており、使用する時は１枚ずつ取り出して血糖値測定装置に装着し、血糖センサに血液を付けることで血糖値が測定される。【０００３】
血糖センサに素手で触れると正しい測定値が得られないことがあり、取り扱いに注意が必要である。また、血糖センサは使い捨てであり、血糖値測定装置に装着して使用された後に廃棄され、次の測定には新しい血糖センサを使用する。そこで、このような血糖センサを複数個収納し、血糖値測定装置に１個ずつ供給する血糖センサ供給装置や血糖センサケースが提供されている。【０００４】
例えば特許文献１のセンサ供給装置の場合、センサ送出口を有するセンサ貯蔵ケースと、前記センサ送出口近傍に設けられたセンサ送出手段が設けられている。センサ送出手段は、一対のセンサ送出ローラがセンサ取出口に沿って設けられている。センサ貯蔵ケース内には、乾燥剤が配置されている。【０００５】
特許文献２のセンサカートリッジは、センサを積層収納するカートリッジケースと、このカートリッジケースに設けられセンサが搬出される出口と、この出口からセンサを搬出するスライドプレートが設けられ、出口には、スライドプレートによる搬出動作に連動して出口を開閉するシャッタが設けられている。
【先行技術文献】
【特許文献】
【０００６】
【特許文献１】特開２００１−１４１６８６号公報
【特許文献２】特開２０１０−９４４０２号公報
【発明の概要】
【発明が解決しようとする課題】
【０００７】
このようなセンサケースは、センサケースから血糖センサを差し出した状態で血糖値測定装置の差込口に入れて、糖値測定装置の係止手段に血糖センサを保持させた後、センサケースを血糖値測定装置から離すと、血糖センサが血糖値測定装置の差込口に残り、血糖値が測定可能となる。しかしながら、センサケース側の保持力が強すぎると、糖値測定装置側に血糖センサ先端部が挿入されても、センサケースを糖値測定装置から離すと血糖センサも付いてきて、血糖値測定装置から血糖センサが脱落してしまうことがある。また、センサケース側の保持力が弱すぎると、測定作業前に血糖センサがセンサケースから脱落してしまう恐れがある。このように、センサケースは、血糖値測定装置に血糖センサを良好に挿入するために適した保持力に設定することが必要である。【０００８】
しかし、上記背景技術の特許文献１の場合、大がかりな駆動機構を備えたセンサ供給装置であり、血糖センサはセンサ供給装置でローラにより保持され、保持力が高いため血糖値測定装置側の保持力をより強くしないと血糖センサを抜き取れないものであり、保持力の調節が難しく、装置も複雑化するものであった。特許文献２の場合、センサを押圧しているスプリングの位置が収納状体でセンサ中央部であり、センサカートリッジからセンサを差し出した状態では、センサがスプリングにより保持されない位置であり、センサの保持力が弱く、センサが不用意に落下してしまう恐れがある。【０００９】
この発明は、上記背景技術の問題点に鑑みてなされたものであり、シート状のセンサを１枚ずつ正確且つ容易に取り出すことができ、適切な保持力で測定装置に挿入可能であり、確実に測定を行うことができるセンサケースを提供することを目的とする。
【課題を解決するための手段】
【００１０】
この発明は、複数個のシート状のセンサを積層して収納し、前記センサを１枚ずつ取り出す取出口を有したケース本体と、前記ケース本体の開口部を覆うケース蓋体と、収納された前記センサを前記ケース本体内で前記取出口側へ押し上げる押上スライダと、前記ケース本体に摺動可能に取り付けられ、収納した前記センサを１枚ずつ取り出す取出スライダと、前記取出スライダに設けられ、収納された前記センサのうちの、上端部のセンサの前記取出口とは反対側の端部に係合する押出突起と、前記押上スライダを押上方向に付勢する弾性体とを備え、前記弾性体は、前記押上スライダの、前記ケース本体の背面部寄りの位置に当接して前記センサを押上げ、前記センサが前記押上スライダと前記取出口の開口縁に繋がる受け部とに挟持されるものである。【００１１】
前記押上スライダには、前記センサに当接する押上壁が設けられ、前記押上壁には、前記スライダにより前記センサを押し出した状態で、前記センサの後端部よりも前記ケース本体の前記取出口とは反対側の位置で、前記センサ面側に高くなった段部を有するものである。【００１２】
前記押上スライダの前記押上壁に設けられている前記段部は、前記押上壁から直角または鋭角に立ち上がり、前記取出スライダが前記取出口に位置したときに、前記取出スライダの前記押出突起が、前記押上スライダの前記段部よりも前記取出口に近い位置にあり、前記センサは前記取出スライダにより前記取出口から一部が突出して保持されるものである。【００１３】
前記取出口の周縁部には、前記ケース本体内側に突出する重なり防止突部が設けられ、前記一番端の前記センサには前記重なり防止突部が当接せずに前記取出口を通過させ、二番目の前記センサには前記重なり防止突部が当接するように形成されたものである。【００１４】
さらに、前記ケース本体内に前記センサを収容し、前記ケース蓋体を装着した状態で、乾燥剤とともに外ケースに収納されて成るセンサケースである。前記外ケース内には、前記乾燥剤を位置決めしてがたつき無く保持する保持部を有する。前記外ケースの蓋体は、収納部に対して気密状態で着脱可能に設けられている。
【発明の効果】
【００１５】
この発明のセンサケースは、シート状のセンサを確実に１枚ずつ取り出し測定装置に挿入して、確実に血糖値等の測定を行うことができる。さらに、取出スライダを操作するだけで、手で触れることなくセンサがセンサケースから差し出され、適度な保持力で保持されるので、取り扱いが容易であり容易に脱落することもない。
【図面の簡単な説明】
【００１６】
【図１】この発明の第一実施形態のセンサケースのケース蓋体を開いた状態であって、血糖センサが収納されている状態を示す正面図である。
【図２】第一実施形態のセンサケースのケース蓋体を開いた状態で血糖センサが一枚取り出し可能な状態を示す正面図である。
【図３】第一実施形態のセンサケースのケース蓋体を開いた状態で、血糖センサを取り出す部分の部分拡大正面図である。
【図４】第一実施形態のセンサケースの血糖センサが収納されている状態を示す斜視図である。
【図５】第一実施形態のセンサケースの血糖センサが一枚取り出し可能な状態を示す斜視図である。
【図６】第一実施形態のセンサケースの血糖センサが収納されていない状態を示す斜視図である。
【図７】第一実施形態のセンサケースのケース蓋体を開いた状態で最後の血糖センサが取り出し可能な状態を示す正面図である。
【図８】この発明の第二実施形態のセンサケースを外ケースに収納した状態の縦断面図である。
【図９】第二実施形態のセンサケースから血糖センサが一枚取り出し可能な状態を示す縦断面図である。
【図１０】第二実施形態のセンサケースのケース蓋体を開いた状態の斜視図である。
【図１１】第二実施形態のセンサケースのケース蓋体を開いた状態で、血糖センサが無くなった状態の斜視図である。
【図１２】第二実施形態のセンサケースを外ケースに収納する様子を示す斜視図である。
【図１３】第二実施形態のセンサケースの外ケースを示す斜視図である。
【図１４】第二実施形態のセンサケースの外ケースを開いた状態で、血糖センサが一枚取り出し可能な状態を示す斜視図である。
【発明を実施するための形態】
【００１７】
以下、この発明の実施形態について図面に基づいて説明する。図１〜図７はこの発明の第一実施形態を示すもので、この実施形態のセンサケース１０は血糖値を検知するセンサである血糖センサ１２を複数枚収納するものである。血糖センサ１２は、一方向に長い矩形のシート状に形成されている。血糖センサ１２は、例えば基板の表面に、各々図示しない対極、測定極、それらに連なる各配線、絶縁層が設けられ、対極と測定極を覆う反応層が形成され、さらに基板の表面に、スペーサとカバーを順次固定したものである。
【００１８】
センサケース１０は、矩形で薄い皿形のケース本体１４を備え、後述するケース蓋体３４とともに中空のセンサケース１０を形成している。ケース本体１４は、硬い合成樹脂で一体成形されている。ケース本体１４は、皿状の底である長方形の側面１６を有し、側面１６の四方の周縁部には周面１８が一周して設けられている。周面１８は側面１６に対して直角に立ち上がり、一定の高さで設けられている。周面１８の、使用状態での上面に設けられている上面部１８ａには、ケース蓋体３４を閉じたときにスリット５３が形成される切除部２０が形成されている。切除部２０は、上面部１８ａの中心から背面部１８ｃにかけて、一定幅で切除されて形成されている。上面部１８ａには、両方の端部近傍に、後述する取出スライダ５２が当たる係止突部２１が各１個ずつ突出して設けられている。
【００１９】
周面１８の、上面部１８ａに連続し切除部２０とは反対側に位置して設けられた正面部１８ｂには、後述するケース蓋体３４を閉じたときに取出口４９が設けられる切欠部２２が形成されている。切欠部２２は、正面部１８ｂの上面部１８ａに近い位置に設けられ、正面部１８ｂの立ち上がり方向、即ち側面１６に対して直角に長細く端縁から側面１６に達して形成されている。切欠部２２の、上面部１８ａと反対側の縁部の内周面には、重なり防止突部２３が設けられている。重なり防止突部２３は、切欠部２２の内側面と面一に側面１６の中央側に向かって突出する平面と、頂点から正面部１８ｂに向かう平面で囲まれた鋭角の三角柱状に形成されている。正面部１８ｂの外側面には、切欠部２２の上面部１８ａとは反対側に、突部２５が設けられている。
【００２０】
側面１６には、上面部１８ａ近傍に上面部１８ａに対して所定間隔離れて平行に位置する第１ガイド壁２４が側面１６を横断して設けられている。第１ガイド壁２４は、正面側が切欠部２２の上側縁部に連続し、中間部には、後述するケース蓋体３４を閉じたときに図示しないスリットが形成される切除部２６が形成されている。切除部２６は、第１ガイド壁２４の両端部を残して中心付近に長く設けられ、第１ガイド壁２４の上端部から一定幅で切除されている。側面１６には、正面部１８ｂに対して平行な背面部１８ｃ近傍に、背面部１８ｃに対して所定間隔離れて平行に位置する第２ガイド壁２８が背面１６を横断して設けられている。第２ガイド壁２８の一端部は第１ガイド壁２４にほぼ直角に交差し、他端部は周面１８の上面部１８ａに対して平行な下面部１８ｄに達している。第２ガイド壁２８には、後述するケース蓋体３４を閉じたときにケース蓋体３４との間に隙間が形成される切除部３０が形成されている。切除部３０は、中心から第１ガイド壁２４にかけて設けられ、第２ガイド壁２８の上端部から一定幅で切除されている。
【００２１】
側面１６には、第２ガイド壁２８と正面部１８ｂの間に、互いに平行な一対のスプリング用ガイド壁３２が設けられている。スプリング用ガイド壁３２は、下面部１８ｄから側面１６の中心付近に達して設けられ、下面部１８ｄの中心よりも背面部１８ｃに近い位置に設けられ、背面部１８ｃに対して平行に位置している。
【００２２】
側面１６には、第１ガイド壁２４と上面部１８ａの間に、取出スライダ用ガイド壁３３が設けられている。取出スライダ用ガイド壁３３は、背面部１８ｃから第１ガイド壁２４と平行に形成され、第１ガイド壁２４よりも短く半分以下の長さに設けられている。
【００２３】
センサケース１０は、ケース本体１４の開口された部分に嵌合して閉鎖するケース蓋体３４を備えている。ケース蓋体３４は硬い合成樹脂で作られ、ケース本体１４とほぼ対称形状であり、ケース本体１４の側面１６とほぼ同じ形状の長方形の側面３６が設けられ、側面３６の周縁部には周面３８が一周して設けられている。周面３８は、ケース本体１４の上面部１８ａ，正面部１８ｂ，背面部１８ｃ，下面部１８ｄに対向する上面部３８ａ，正面部３８ｂ，背面部３８ｃ，下面部３８ｄが設けられている。側面３６には、中央部上方に血糖センサ１２の長さの幅を有して一定範囲で開口した切除部３９が設けられている。切除部３９は、正面部３８ｂに連続して側面３６を横断して背面部３８ｃから少し離れた位置までを矩形に開口したものである。切除部３９の上面部３８ａに近い側縁部３９ａは、ケース本体１４の切欠部２２に一致している。側縁部３９ａと、側縁部３９ａに対して平行な側縁部３９ｂには、後述するカバー部材４４を前面３６と面一に係止する係止突部４２が設けられている。
【００２４】
ケース蓋体３４の上面部３８ａには、ケース本体１４に閉じたときにケース本体１４の切除部２０と合わせてスリット５３が形成される切除部４０が形成されている。上面部３８ａの、内周面には、ケース本体１４の係止突部２１に連続する図示しない係止突部が突出して設けられている。
【００２５】
側面３６には、ケース本体１４に閉じたときに、ケース本体１４の第１ガイド壁２４に対向して図示しない受け部である第３ガイド壁が、側面１６を横断して設けられている。第３ガイド壁は、ケース本体１４に閉じたときに第１ガイド壁２４に当接する一定の高さで側面３６から立ち上げられ、切除部３９の側縁部３９ａに繋がっている。ケース本体１４の周面１８と、ケース蓋体３４の周面３８には、所定位置にガイドされて互いに係合される図示しない係合突起が設けられている。
【００２６】
立上部４６には、ケース本体１４の正面部１８ｂに設けられている突部２５に連続する突部４８が設けられている。センサケース１０の上面部１８ａ，３８ａには、血糖センサ１２を１枚ずつ外に取り出す取出スライダ５２が設けられている。取出スライダ５２は、ケース本体１４とケース蓋体３４の切除部４０が合わせられて形成されるスリット５３に摺動可能に嵌め込まれている。取出スライダ５２は、ケース本体１４の上面部１８ａとケース蓋体３４の上面部３８ａに重ねられる棒状の操作部５４が設けられ、操作部５４の外側面には操作用突部５６が設けられている。操作部５４の長手方向の一端部には、上面部１８ａから離れる方向に向かって直角に立ち上がる差込部５８が連続して設けられ、差込部５８は、スリット５３に差し込まれて先端がケース本体１４の内側に位置する。差込部５８の先端には、コの字形の押出部６０がほぼ直角に連続して設けられている。コの字形の押出部６０の、操作部５４近傍の平行な部分は、ケース本体１４の上面部１８ａと取出スライダ用ガイド壁３３の間に位置し、上面部１８ａの一対の係止突部２１のいずれかが嵌合される係止凹部６２が両端部に各１個設けられている。押出部６０の中心部分は、上面部１８ａから離れる方向に向かって直角に立ち上がり、取出スライダ用ガイド壁３３の幅方向を超える長さに形成されている。押出部６０のさらに直角に折り曲げられた部分は、ケース本体１４の、第１ガイド壁２４の切除部２６内に位置する。押出部６０の下端部には、押出突起６３が設けられている。押出突起６３は、押出部６０の下端部に、上面部１８ａから離れる方向へ突出して設けられ、第１ガイド壁２４からも突出している。
【００２７】
センサケース１０には、収納した血糖センサ１２を取り出し位置に押し出す押上スライダ６４が設けられている。押上スライダ６４は、ケース本体１４の正面部１８ｂ、底面部１８ｄ、第１ガイド壁２４、第２ガイド壁２８で囲まれた空間に入れられ、この空間の約半分の体積であり、第１ガイド壁２４に対して平行な長辺と第２ガイド壁２８に対して平行で第２ガイド壁２８の約半分の長さの短辺を有する矩形の板状体である。押上スライダ６４の、第１ガイド壁２４側の側縁部には、血糖センサ１２に当接する押上壁６６が設けられている。押上壁６６は、側面１６に対して直角に立ち上がり第１ガイド壁２４、第２ガイド壁２８とほぼ同じ一定の高さで形成されている。押上壁６６の、中心から背面部１８ｃ側の端部にかけて、第１ガイド壁２４側に所定幅で突出する段部６８が設けられている。段部６８は、押上壁６６から直角または鋭角に立ち上がっている。押上スライダ６４の、第２ガイド壁２８側の側縁部には、第２ガイド壁２８に沿う第４ガイド壁７０が形成されている。押上スライダ６４の第４ガイド壁７０近傍には、スプリング用ガイド壁７２が第４ガイド壁７０に対して平行に設けられている。スプリング用ガイド壁７２は、ケース本体１４の一対のスプリング用ガイド壁３２の内側にゆとりを有して嵌合され、摺動可能となる。押上スライダ６４の、押上壁６６近傍には、押上スライダ６４の側面を貫通する透孔７４が設けられている。
【００２８】
押上スライダ６４のスプリング用ガイド壁７２の内側には、弾性体である圧縮されたスプリング７６が設けられている。スプリング７６は、ケース本体１４の底面部１８ｄと押上スライダ６４の押上壁６６に当接し、押上スライダ６４をケース本体１４の第１ガイド壁２４に向かって付勢する。
【００２９】
次に、センサケース１０の組立方法の一例について説明する。センサケース１０のケース本体１４に取出スライダ５２、スプリング７６、押上スライダ６４を所定位置にセットし、ケース蓋体３４を、カバー部材４４を外した状態でケース本体１４に取り付け、図６に示す状態となる。取出スライダ５２は、背面部１８ｃ側に位置している。そして押上部６０のコの字形の内側の空間に取出スライダ用ガイド壁３３が位置している。このとき押上スライダ６４は、スプリング７６により第１ガイド壁２４側に付勢されているため、ケース蓋体３４の切欠部３９から押上スライダ６４が露出する。
【００３０】
次に、押上スライダ６４の透孔７４に図示しないピン等を差し込み、スプリング７６の付勢力に対抗して押上スライダ６４を移動させ、開かれた空間に血糖センサ１２を入れる。血糖センサ１２は、上面部１８ａに対して平行に複数枚を重ねて入れる。透孔７４からピン等を抜いて押上スライダ６４をフリーにすると、押上スライダ６４が血糖センサ１２を押して、押上スライダ６４と受け部である第１ガイド壁２４及び図示しない第３ガイド壁とに挟持され、ガタツキを防ぐ。この後、カバー部材４４を切除部３９に取り付けて図４に示すようにセンサケース１０が使用可能となる。血糖センサ１２は湿気に弱いため、センサケース１０ごと乾燥材入りの防湿容器に保管すると良い。防湿容器は、血糖センサ１２を使用した後に密封可能なものである。
【００３１】
次にセンサケース１０の使用方法について説明する。先ず、取出スライダ５２を、図１、図４のように背面部１８ｃ側の位置から、図２、図５に示すように、正面部１８ｂ側の位置にスライドさせる。このとき、上面部１８ａの両端部に設けられた係止突部２１が、取出スライダ５２の係止凹部６２に嵌合されてクリック感を生じるとともに位置決めされ、後述する血糖値測定装置に血糖センサ１２を挿入するときに、取出スライダ５２が押し戻されることがない。ここで、図１、図４に示すように取出スライダ５２が背面部１８ｃ側に位置しているとき、取出スライダ５２の押出突起６３は、第２ガイド壁２８にほぼ一致している。図２、図５に示すように取出スライダ５２が正面部１８ｂ側に位置しているとき、押出突起６３の先端は、押上スライダ６４の段部６８の取出口４９側端部よりも取出口４９側に位置し、後端は段部６８の背面部１８ｃ側に位置している。そして、取出スライダ５２を取出口４９側へ移動させると、押出突起６３は一枚目の血糖センサ１２の背面部１８ｃ側の端部に当接して、取出スライダ５２の移動とともに一枚目の血糖センサ１２を移動させ、取出口４９から血糖センサ１２が所定長さ突出する。このとき、血糖センサ１２の背面部１８ｃ側の端部は、ケース本体１４の第１ガイド壁２４と押上スライダ６４の押上壁６６に挟まれて保持され、押上壁６６の段部６８よりも取出口４９側に位置している。押上スライダ６４の押上壁６６には、中間部に段部６８が設けられ、さらにスプリング７６は、取出口４９と反対側の背面側の位置で付勢しているため、取出口４９側では血糖センサ１２が落下しない程度に弱い保持力で保持される。
【００３２】
そして、血糖センサ１２が所定長さに突出した状態で、センサケース１０を図示しない血糖値測定装置に近づけ、血糖センサ１２を所定位置に挿入する。この後、保持されたことを確認し、センサケース１０を引くと、血糖センサ１２が血糖値測定装置に保持されて、血糖値測定装置側に残る。そして、測定用の血液等を所定位置に載せ血糖値を測定する。
【００３３】
また、図７に示すように、最後の一枚の血糖センサ１２を血糖値測定装置に装着するとき、押上スライダ６４の段部６８の立ち上がりは、垂直または鋭角であるため、取出スライダ５２の押出突起６３が血糖センサ１２から外れても段部６８に係止されて止められるため、血糖センサ１２がセンサケース１０内に押し戻されることがない。
【００３４】
取出口４９の重なり防止突部２３は、第１ガイド壁２４に当接している一番端の血糖センサ１２には当接せずに取出口４９を通過させ、二番目の血糖センサ１２には当接して重なって複数枚出てくることを防いでいる。
【００３５】
この実施形態のセンサケース１０によれば、シート状の血糖センサ１２を１枚ずつ確実に取り出し、血糖値測定装置に挿入して確実に血糖値測定装置側に血糖センサ１２を装着することができる。しかも、最後の一枚まで確実に取り出すことができる。取出スライダ５２を操作するだけで、血糖センサ１２に素手で触れることがなく、簡単に血糖値測定装置に装着することができ、正確に血糖値を測定することができる。さらに、センサケース１０の組み立てや、血糖センサ１２の装填は簡単であり、押上スライダ６４を透孔７４にピン等を差し込んで移動し血糖センサ１２を装填することができ、ラインの自動化に対応することができる。また、カバー部材４４を透明な材料で作ることにより、血糖センサ１２の残量を目視することが可能である。
【００３６】
次に、この発明の第二実施形態について図８〜図１４を基にして説明する。ここで、上記実施形態と同様の部材は同一の符号を付して説明を省略する。この実施形態のセンサケース８０も血糖値を検知するセンサである血糖センサ１２を複数枚収納するものである。
【００３７】
センサケース８０は、矩形で薄い皿形のケース本体１４を備え、後述するケース蓋体３４とともに中空のセンサケース８０を形成している。ケース本体１４は、硬い合成樹脂で一体成形され、皿状の底である長方形の側面１６を有し、側面１６の四方の周縁部には周面１８が一周して設けられている。周面１８の、使用状態での上面に設けられている上面部１８ａには、後述する取出スライダ５２が摺動する摺動ガイド部３５が設けられている。
【００３８】
上面部１８ａに連続して設けられた正面部１８ｂには、後述するケース蓋体３４を閉じたときに取出口４９が設けられるように開口部が形成され、摺動ガイド部３５の裏面に繋がっている。取出口４９は、正面部１８ｂの上面部１８ａに近い位置に設けられ、側面１６に対して直角に長細く端縁から側面１６に達して形成されている。正面部１８ｂの外側面には、取出口４９の上面部１８ａ側とは反対側に、突部２５が設けられている。正面部１８ｂと底面部１８ｄが交わる角部は、矩形状に切除されて空間部１７が設けられ、後述する乾燥剤９０が位置する。
【００３９】
センサケース８０は、ケース本体１４の開口された部分に嵌合して閉鎖するケース蓋体３４を備えている。ケース蓋体３４は硬い合成樹脂で作られ、ケース本体１４とほぼ対称形状であり、ケース本体１４の側面１６とほぼ同じ形状の長方形の側面３６が設けられ、側面３６の周縁部には周面３８が一周して設けられている。周面３８は、ケース本体１４の上面部１８ａ，正面部１８ｂ，背面部１８ｃ，下面部１８ｄに対向する上面部３８ａ，正面部３８ｂ，背面部３８ｃ，下面部３８ｄが設けられている。ケース蓋体３４の上面部３８ａは、ケース本体１４の摺動ガイド部３５の裏面側に接する端面を有している。正面部３８ｂと底面部３８ｄが交わる角部は、矩形状に切除されて空間部１７と同様の空間部３７が設けられ、後述する乾燥剤９０が位置する。ケース蓋体３４の周面３８には、ケース本体１４に取り付けたときに、ケース本体１４の周面１８の端縁部にガイドされて互いに係合される図示しない係合突起が設けられている。
【００４０】
センサケース８０の摺動ガイド部３５には、血糖センサ１２を１枚ずつ外に取り出す取出スライダ５２が設けられている。取出スライダ５２は、ケース本体１４の摺動ガイド部３５に形成されたスリット５３に押出部６０が挿通され、摺動可能に装着されている。取出スライダ５２は、摺動ガイド部３５に嵌合する操作部５４が設けられ、操作部５４の外側面には操作用突部５６が設けられている。操作部５４の下面には、押出部６０が一体に設けられ、押出部６０の下端部には、押出突起６３が設けられている。押出突起６３は、押出部６０の下端部から下方へ突出して設けられている。押出部６０の下面は、摺動ガイド部３５の裏面と面一に形成されている。
【００４１】
センサケース８０には、収納した血糖センサ１２を取り出し位置に押し出す押上スライダ６４が設けられている。押上スライダ６４は、ケース本体１４の正面部１８ｂ、底面部１８ｄ、背面部１８ｃで囲まれた空間に入れられ、この空間の約半分の体積であり、正面部１８ｂに対して平行で約半分の長さの辺を有し、空間部１７に沿ってＬ字状に切除された角部を有している。押出スライダ６４の、上面部１８ａ側の側縁部には、血糖センサ１２に当接する押上壁６６が設けられている。押上壁６６は、側面１６に対して直角に立ち上がりセンサケース８０の内部空間とほぼ同じ一定の幅に形成されている。押上壁６６の、中心から本体１８ｃ側の端部にかけて、段部６８が設けられている。段部６８は、押上壁６６から直角または鋭角に立ち上がっている。押上スライダ６４中央部より背面部１８ｃ寄りには、スプリング用ガイド壁７２が設けられている。スプリング用ガイド壁７２は、ケース本体１４の一対のスプリング用ガイド壁３２の内側にゆとりを有して嵌合され、摺動可能となる。押上スライダ６４の、押上壁６６近傍には、押上スライダ６４を貫通する透孔７４が設けられている。
【００４２】
押上スライダ６４のスプリング用ガイド壁７２の内側には、弾性体である圧縮されたスプリング７６が設けられている。スプリング７６は、ケース本体１４の底面部１８ｄに立設されたガイド柱７７に嵌合し、押上スライダ６４の押上壁６６の裏面に当接して、押上スライダ６４をケース本体１４の摺動ガイド部３５に向かって付勢している。
【００４３】
血糖センサ１２は湿気に弱いため、センサケース８０とともに乾燥材９０を収容可能な防湿容器である外ケース８４に収納する。外ケース８４は、収納本体８６と蓋部８８とから成り、蓋部８８は収納本体８６を気密状態に密封する。センサケース８０の外周面には、外ケース８４の内壁に接してがたつきを防止する位置決め片８０ａが全周に形成され、安定に収納される。蓋部８８は、センサケース８０の取出口４９よりもやや下方まで覆うように形成され、蓋部８８を開くと、図９、図１４に示すように、血糖センサ１２を取り出すことができる。収納本体８６の底面部には、センサケース８０及び乾燥剤９０をがたつきなく安定に収容する保持部９２が設けられている。
【００４４】
次に、センサケース８０の組立方法の一例について説明する。センサケース８０のケース本体１４に、取出スライダ５２、スプリング７６、押上スライダ６４を所定位置にセットする。そして押上スライダ６４の透孔７４に図示しないピン等を差し込み、スプリング７６の付勢力に対抗して押上スライダ６４を移動させ、開かれた空間に血糖センサ１２を入れる。血糖センサ１２は、摺動ガイド部３５に対して平行に複数枚を重ねて入れる。透孔７４からピン等を抜いて押上スライダ６４をフリーにすると、押上スライダ６４が血糖センサ１２を押して、押上スライダ６４と受け部となる摺動ガイド部３５に挟持され、ガタツキを防ぐ。この後、ケース蓋体３４を取り付けてセンサケース８０が使用可能となる。
【００４５】
次にセンサケース８０の使用方法について説明する。先ず、取出スライダ５２を、図８、図１２のように背面部１８ｃ側の位置から、図９、図１４に示すように、正面部１８ｂ側の位置にスライドさせる。ここで、図８に示すように取出スライダ５２が背面部１８ｃ側に位置しているとき、取出スライダ５２の押出突起６３は背面部１８ｃ側に位置し、取出スライダ５２を取出口４９側へ移動させると、押出突起６３は一枚目の血糖センサ１２の背面部１８ｃ側の端部に当接して、取出スライダ５２の移動とともに一枚目の血糖センサ１２を移動させ、取出口４９から血糖センサ１２が所定長さ突出する。このとき、血糖センサ１２の背面部１８ｃ側の端部は、摺動ガイド部３５の裏面及び取出スライダ５２の押出部６０と押上スライダ６４の押上壁６６とに挟まれて保持される。押上スライダ６４の押上壁６６には、取出口４９と反対側に段部６８が設けられ、さらにスプリング７６は、中央部よりも背面部１８側の位置で付勢しているため、取出口４９側では血糖センサ１２が落下しない程度に弱い保持力で保持される。
【００４６】
そして、血糖センサ１２が所定長さに突出した状態で、センサケース８０を図示しない血糖値測定装置に近づけ、血糖センサ１２を所定位置に挿入する。この後、保持されたことを確認し、センサケース８０を引くと、血糖センサ１２が血糖値測定装置に保持されて、血糖値測定装置側に残る。そして、測定用の血液等を所定位置に載せ血糖値を測定する。
【００４７】
この実施形態のセンサケース８０も、上記実施形態と同様の効果を有し、外ケース８４とともに用いることにより、より安定な品質を保持することができる。
【００４８】
なお、この発明のセンサケースは、上記実施の形態に限定されるものではなく、センサは、血糖値の測定以外に体液や温度等の情報を検知するものや各種診断用のセンサでも良く、用途や大きさは自由に変更可能である。ケース本体の形状もセンサの形状や収納する数に合わせて自由に設計することができる。また、弾性体は、スプリング以外に適した付勢力を有するものであればよい。
【符号の説明】
【００４９】
１０，８０  センサケース
１２  血糖センサ
１４  ケース本体
１６，３６  側面
１８，３８  周面
１８ａ，３８ａ  上面部
１８ｂ，３８ｂ  正面部
２３  重なり防止突部
２４  第１ガイド壁
２８  第２ガイド壁
３４  ケース蓋体
４９  取出口
５２  取出スライダ
５３  スリット
６３  押出突起
６４  押上スライダ
６６  押上壁
６８  段部
７６  スプリング
【図１】
2013118609.tif 000003
【図２】
2013118609.tif 000004
【図３】
2013118609.tif 000005
【図４】
2013118609.tif 000006
【図５】
2013118609.tif 000007
【図６】
2013118609.tif 000008
【図７】
2013118609.tif 000009
【図８】
2013118609.tif 000010
【図９】
2013118609.tif 000011
【図１０】
2013118609.tif 000012
【図１１】
2013118609.tif 000013
【図１２】
2013118609.tif 000014
【図１３】
2013118609.tif 000015
【図１４】
2013118609.tif 000016
【国際調査報告】
2013118609.tif 000017
2013118609.tif 000018
2013118609.tif 000019
2013118609.tif 000020